(57)【要約】【課題】アオリ構成材の中空部に浸入した水を排出可能な構造を具備する貨物輸送車用のアオリであって、開扉した状態にあるときでも、アオリ構成材の中空部に雨水等が浸入し難いアオリを提供することを課題とする。【解決手段】中空部Ｖ１，Ｖ２を有する平板状のアオリ構成材１０と、このアオリ構成材１０の側端部が挿入される断面溝形の挿入部２１を有するエンドポスト２０と、を備える貨物輸送車用のアオリであって、アオリ構成材１０の側端部の側面と挿入部２１との間に、下端が開口した水抜き空間Ｍが形成されており、アオリ構成材１０の側端部の外皮に、中空部Ｖ１、Ｖ２と水抜き空間Ｍとに開口する水抜き孔１１ａ，１１ｂが形成されており、水抜き孔１１ａ，１１ｂと水抜き空間Ｍとを介して、アオリ構成材１０の中空部Ｖ１，Ｖ２に浸入した水が排水されることを特徴とする。【選択図】図３
2008195131.tif 000002
【特許請求の範囲】
【請求項１】
中空部を有する平板状のアオリ構成材と、
前記アオリ構成材の側端部が挿入される断面溝形の挿入部を有するエンドポストと、を備える貨物輸送車用のアオリであって、
前記アオリ構成材の側端部の側面と前記挿入部との間に、下端が開口した水抜き空間が形成されており、
前記アオリ構成材の側端部の外皮に、前記中空部と前記水抜き空間とに開口する水抜き孔が形成されており、
前記水抜き孔と前記水抜き空間とを介して、前記アオリ構成材の前記中空部に浸入した水が排水されることを特徴とするアオリ。
【請求項２】
前記水抜き空間が、前記アオリ構成材の側端部の庫外側の側面と前記挿入部との間に形成されており、
前記アオリ構成材の前記中空部に浸入した水が、前記アオリ構成材の下端面に設けたガスケットよりも庫外側に排水されることを特徴とする請求項１に記載のアオリ。
【請求項３】
前記アオリ構成材の側端部と前記挿入部との間に、スペーサが介設されており、
前記スペーサに形成された切り込みを利用して、前記水抜き空間が形成されていることを特徴とする請求項１または請求項２に記載のアオリ。
【請求項４】
前記挿入部の内面に凹部が形成されており、
前記凹部を利用して、前記水抜き空間が形成されていることを特徴とする請求項１または請求項２に記載のアオリ。
【発明の詳細な説明】
【技術分野】
【０００１】
本発明は、貨物輸送車の荷台に設置されるアオリに関する。
【背景技術】
【０００２】
中空部を有する平板状のアオリ構成材と、このアオリ構成材の側端部が挿入される断面溝形の挿入部を有するエンドポストと、を備える貨物輸送車用のアオリが知られている（例えば、特許文献１および特許文献２参照）。
【０００３】
特許文献１および特許文献２のアオリのように、アオリ構成材の開口端をエンドポストで塞いでしまうと、アオリ構成材に設けたボルト孔などから浸入した雨水がアオリ構成材の内部に長期間残留する虞があるので、特許文献２のアオリでは、エンドポストの挿入部の内面に水抜き用の溝条（以下、「水抜き溝」という。）を設けている。
【０００４】
【特許文献１】特開２００２−９６７６５号公報
【特許文献２】特開平１０−２１８０３９号公報
【発明の開示】
【発明が解決しようとする課題】
【０００５】
特許文献２のアオリにおいては、これが立設した状態（閉扉した状態）にあるときに、水抜き溝の下端の開口端から雨水等が排水されることになるが、アオリを開扉すると、その上下が反対になり、水抜き溝の前記した開口端が上向きに開口することになるので、雨水等を排水できなくなるだけでなく、雨水等が浸入し易い状態になる。
【０００６】
ところで、特許文献２の水抜き溝は、アオリ構成材の開口端に面している。したがって、アオリが開扉した状態にあるときに水抜き溝の開口端から雨水等が浸入すると、水抜き溝を伝ってアオリ構成材の中空部にまで流れ込む虞がある。
【０００７】
このような観点から、本発明は、アオリ構成材の中空部に浸入した水を排出可能な構造を具備する貨物輸送車用のアオリであって、開扉した状態にあるときでも、アオリ構成材の中空部に雨水等が浸入し難いアオリを提供することを課題とする。
【課題を解決するための手段】
【０００８】
このような課題を解決する本発明は、中空部を有する平板状のアオリ構成材と、前記アオリ構成材の側端部が挿入される断面溝形の挿入部を有するエンドポストと、を備える貨物輸送車用のアオリであって、前記アオリ構成材の側端部の側面と前記挿入部との間に、下端が開口した水抜き空間が形成されており、前記アオリ構成材の側端部の外皮に、前記中空部と前記水抜き空間とに開口する水抜き孔が形成されており、前記水抜き孔と前記水抜き空間とを介して、前記アオリ構成材の前記中空部に浸入した水が排水されることを特徴とする。
【０００９】
なお、本発明における「上下」は、特に断らない限り、アオリを閉扉した状態（アオリを荷台に立ち上げた状態）を基準とする。
【００１０】
本発明に係るアオリにおいても、開扉したときに上下が逆になるので、水抜き空間が上向きに開口することになるが、アオリ構成材の開口端に面さない水抜き空間を具備しているので、開扉した状態にあるときに水抜き空間に浸入した雨水等がアオリ構成材の中空部の内部に達する可能性が小さくなる。
【００１１】
なお、アオリ構成材の側端部の庫内側の側面と挿入部との間に水抜き空間を形成してもよいが、好ましくは、前記アオリ構成材の側端部の庫外側の側面と前記挿入部との間に形成し、前記アオリ構成材の前記中空部に浸入した水が、前記アオリ構成材の下端面に設けたガスケットよりも庫外側に排水されるようにすることが望ましい。このようにすると、水抜き空間から排水された雨水等が、庫内に浸入することを防止することが可能となる。
【００１２】
水抜き空間を形成するには、例えば、前記アオリ構成材の側端部の側面および前記挿入部の内面の少なくとも一方に凹部を形成しておけばよいが、前記アオリ構成材の側端部と前記挿入部との間に、スペーサを介設する場合には、前記スペーサに切り込みを形成しておき、当該切り込みを利用して前記水抜き空間を形成するとよい。つまり、アオリ構成材の側端部の厚みがエンドポストの挿入部の溝幅より小さい場合には、切り込みが形成されたスペーサをアオリ構成材の側端部と挿入部との間に挟みこみ、スペーサの切り込みを利用して水抜き空間を形成するとよい。スペーサの切り込みを利用すれば、中空部から排水された水を確実にアオリの下端側へ導くことが可能となるので、中空部から排水された水がアオリ構成材の側面側に漏出して美観を損ねることを防止することが可能となる。
【発明の効果】
【００１３】
本発明に係るアオリによると、アオリ構成材の開口端に面さない水抜き空間を具備しているので、開扉した状態にあるときでも、アオリ構成材の中空部に雨水等が浸入し難くなる。
【発明を実施するための最良の形態】
【００１４】
次に、本発明の実施形態について、適宜図面を参照しながら詳細に説明する。
図１は、本実施形態のアオリの使用状態を示した図で、（ａ）はトラックの荷台後部の側面図、（ｂ）はアオリを立ち上げるときの斜視図である。図２は、本実施形態のアオリの側端部の下部における分解斜視図である。図３は、本実施形態のアオリの下部を示す図であって（ａ）は側面図、（ｂ）は（ａ）のＢ−Ｂ断面図、（ｃ）は（ａ）のＣ−Ｃ断面図、（ｄ）は（ｂ）の下部を拡大した図である。
なお、図１の（ａ）に示すアオリＡは、荷台Ｔ１の側壁及び屋根を構成する左右のウイングＷが、上下に開閉するウイングタイプのトラック（貨物輸送車）に設けられているが、本発明の適用範囲を限定する趣旨ではない。
【００１５】
（アオリの構成）
アオリＡは、図１の（ａ）に示すように、トラックＴの荷台Ｔ１の側縁部に立ち上げられる板状の部材であり、庫外側に向けて傾倒自在となっている（図１の（ｂ）参照）。
このアオリＡは、図１の（ｂ）に示すように、車両前後方向に幅広な長方形のアオリ構成材１０と、このアオリ構成材１０の両側端部にそれぞれ接合されている二本のエンドポスト２０，２０と、アオリ構成材１０とエンドポスト２０との間に介設されるスペーサ３０と、アオリ止め金具５０に掛止される掛け金具４０とを備えて構成されている。なお、アオリ止め金具５０は、荷台Ｔ１（図１の（ａ）参照）に立設された支柱等に固定されていて、アオリＡを立ち上げた状態で掛け金具４０を保持することができる。
【００１６】
（アオリ構成材の構成）
アオリ構成材１０は、複数のアルミニウム合金製の押出形材を上下方向に接合することによって構成された平板状の部材である。
【００１７】
アオリ構成材１０の上部は、基準外面１０ａよりもウイングＷ（図１の（ａ）参照）の厚さ分だけ庫内側にオフセットされており、上下に開閉するウイングＷの下端部が庫外側から重なったときに、基準外面１０ａとウイングＷの庫外側の外面とが略面一となるように構成されている。
この構成では、基準外面１０ａが荷台Ｔ１（図１の（ａ）参照）の規定車幅に達する位置まで、アオリＡを庫外側に張り出すことができるため、荷台Ｔ１の内容量を大きくすることができる。
【００１８】
図２に示すように、アオリ構成材１０を構成する押出形材は、アオリ構成材１０の外皮を構成する外側プレート１１と、この外側プレート１１よりも車幅方向内側に所定間隔を離して配置された内皮を構成する内側プレート１２と、外側プレート１１および内側プレート１２の間に設けられた下部プレート１３および複数の中間プレート１４，１４，…とを備えて構成されており、かつ、各プレート１１，１２，１３，１４によって形成された複数の中空部Ｖ１，Ｖ２，…を具備している。各プレート１１，１２，１３，１４は、押出成形により一体に成形されており、中空部Ｖ１，Ｖ２，…は、押出方向に連続している。
【００１９】
アオリ構成材１０の下部の庫外側の側面（本実施形態では外面）１０ｂは、基準外面１０ａよりも庫内側（内側プレート１２側）にオフセットされている。また、アオリ構成材１０の外皮（外側プレート１１）には、複数の中空部Ｖ１，Ｖ２，…のうちの最下段に位置する中空部Ｖ１に通じる水抜き孔１１ａと、中空部Ｖ１よりも一つ上の中空部Ｖ２に通じる水抜き孔１１ｂとが上下に並んで形成されている。
【００２０】
下側の水抜き孔１１ａは、図３の（ｂ）および（ｄ）に示すように、外側プレート１１の外面と内面とに開口しており、その孔壁の下部は、下部プレート１３の上面と略同じ高さに位置している。同様に、上側の水抜き孔１１ｂは、外側プレート１１の外面と内面とに開口しており、その孔壁の下部は、中間プレート１４の上面と略同じ高さに位置している。なお、水抜き孔１１ａ，１１ｂの位置に特に制限はない。図示は省略するが、中空部Ｖ３，Ｖ４に連通するような水抜き孔を設けても差し支えない。
【００２１】
アオリ構成材１０の下端面には、その長手方向（図３の（ｂ）および（ｄ）において紙面垂直方向）に沿って二条の溝部が形成されており、各溝部には、円筒状のゴム材であるガスケット１５，１６が嵌め込まれている。ガスケット１５，１６は、アオリＡを立ち上げた際に、アオリＡと荷台Ｔ１（図１参照）との間を止水するものであり、本実施形態では、異なる方向から荷台Ｔ１に当接する。
【００２２】
アオリ構成材１０の庫外側の側面には、アオリＡ（図１参照）を傾倒させるための図示せぬ蝶番が取り付けられる。この蝶番は、図示せぬ固着具によってアオリ構成材１０に固着される。なお、アオリ構成材１０の外皮には、前記した固着具を螺入する際に、打ち抜き孔１１ｃ（図２参照）が形成される。
【００２３】
（エンドポストの構成）
図２に示すように、エンドポスト２０は、アオリ構成材１０の側端部に沿って、上下方向に延びているアルミニウム合金製の押出形材であり、アオリ構成材１０の側端部に挿入される断面溝形の挿入部２１が上下方向の全長に亘って形成されている。挿入部２１の側端面２２（図２の左側の側面）には、板状の受け部２３が垂直に立ち上げられている。受け部２３は、挿入部２１の側端面２２に沿って上下方向に延びている。また、受け部２３の先端部（図２の左側の端部）は、庫内側に向けて垂直に折り曲げられており、受け部２３の庫内側には、上下方向の全長に亘って溝部が形成されている。この溝部には、円筒状のゴム材であるガスケット２５が嵌め込まれている。
【００２４】
挿入部２１は、車幅方向に間隔を離して配置された挟持板２１１，２１２と、この挟持板２１１，２１２の側端部を繋ぐ端板２１３とを備えて構成されている。外側の挟持板２１１は、アオリ構成材１０の外皮（外側プレート１１）の側端部を覆い隠し、内側の挟持板２１２は、内皮（内側プレート１２）の側端部を覆い隠す。なお、挟持板２１１に形成された透孔２１ａには、エンドポスト２０をアオリ構成材１０に固定するための固着具ｂ１（図３の（ａ）および（ｂ）参照）が挿入される。
【００２５】
挟持板２１１，２１２は、アオリ構成材１０の最大厚さ寸法（基準外面１０ａを備える部位の厚さ寸法）と等しい離隔距離（溝幅）をあけて対向しており、挿入部２１にアオリ構成材１０の側端部を挿入すると、図３の（ｂ）および（ｃ）に示すように、その最大厚さ寸法よりも厚さ寸法の小さいアオリ構成材１０の下部において、外側の挟持板２１１の内面とアオリ構成材１０の外皮との間に隙間が形成される。
【００２６】
（スペーサの構成）
スペーサ３０は、前記した隙間に挿入されるものであり、図２に示すように、切り込み３０ａを備えた矩形板状を呈している。スペーサ３０は、図３の（ａ）に示すように、外側の挟持板２１１の裏側に丁度収まるような寸法・形状を具備しており、図３の（ｂ）に示すように、アオリ構成材１０の側端部の側面と挟持板２１１とに挟持された状態で、固着具ｂ１によって固定される。なお、スペーサ３０の材質等に特に制限はないが、本実施形態では、ポリプロピレンなどの合成樹脂製としている。
【００２７】
図２に示す切り込み３０ａは、アオリ構成材１０の側端部の側面１０ｂとエンドポスト２０の挿入部２１との間に水抜き空間Ｍ（図３の（ｄ）参照）を確保するためのものであり、本実施形態では、スペーサ３０の下端縁の幅方向の中央部から上方に向かって形成されている。切り込み３０ａは、水抜き孔１１ａ，１１ｂを水抜き空間Ｍに開口させることができるような寸法・形状を具備している。すなわち、切り込み３０ａは、図３の（ａ）に示すように、水抜き孔１１ａ，１１ｂの孔径よりも大きな溝幅を備えており、かつ、二つの水抜き孔１１ａ，１１ｂの離隔距離よりも大きな切り込み長さを備えている。
【００２８】
図３の（ｄ）に示す水抜き空間Ｍは、スペーサ３０の切り込み３０ａ（図３の（ａ）参照）を利用して形成される空間であり、スペーサ３０の切り込み３０ａの形状に対応して下端が開口している。水抜き空間Ｍは、アオリ構成材１０の側端部の側面１０ｂとエンドポスト２０の挿入部２１との間にスペーサ３０を配置することで形成される。なお、水抜き空間Ｍは、アオリ構成材１０の外皮側に配置されたスペーサ３０を利用して形成されるので、ガスケット１５，１６よりも庫外側に位置することになる。
【００２９】
（作用）
以上のように構成されたアオリによると、アオリ構成材１０の最下段の中空部Ｖ１が水抜き孔１１ａと水抜き空間Ｍとを介して外部と連通することになるので、前記した打ち抜き孔１０ｃ（図２参照）などを介して中空部Ｖ１に浸入した水が排水されることになる。同様に、中空部Ｖ２も水抜き孔１１ｂと水抜き空間Ｍとを介して外部と連通することになるので、中空部Ｖ２に浸入した水が排水されることになる（図３の（ｃ）参照）。
【００３０】
（効果）
以上、本実施形態に係るアオリによると、水抜き空間Ｍがアオリ構成材１０の開口端（図２の側端）に面していないので、アオリを開扉した際に上向きに開口した水抜き空間Ｍから雨水等が浸入しても、水抜き空間Ｍに浸入した雨水等が中空部Ｖ１，Ｖ２の内部に達する可能性が小さくなる。
【００３１】
また、本実施形態では、図３の（ｄ）に示すように、アオリ構成材１０の庫外側の側面１０ｂと挿入部２１の外側の挟持板２１１との間に水抜き空間Ｍを形成したので、中空部Ｖ１，Ｖ２に浸入した水が、ガスケット１５，１６よりも庫外側に排水されることになる。このようにすると、水抜き空間Ｍから排水された雨水等が、庫内に浸入することを防止することが可能となる。
【００３２】
加えて、本実施形態では、図３の（ａ）に示すように、外側の挟持板２１１の裏側に隠れるような位置に水抜き孔１１ａ，１１ｂを形成したので、アオリの外観を損ねる心配がなく、さらに、スペーサ３０の切り込み３０ａ（図２参照）を利用して水抜き空間Ｍを形成しているので、中空部Ｖ１，Ｖ２から排水された水を確実にアオリ構成材１０の下端側へ導くことが可能となり、ひいては、中空部Ｖ１，Ｖ２から排水された水がアオリ構成材１０の側面側に漏出して美観を損ねることを防止することが可能となる。
【００３３】
（変形例）
なお、本実施形態では、スペーサ３０を利用して水抜き空間Ｍを形成した場合を例示したが、スペーサ３０を省略し、アオリ構成材１０とエンドポスト２０とによって水抜き空間を形成してもよい。この場合には、例えば図４に示すアオリ構成材１０のように、エンドポスト２０の挿入部２１の内面に形成した凹部２１ｂを利用して水抜き空間を形成するとよい。なお、図４は、本実施形態の変形例に係るアオリの側端部の下部における分解斜視図である。また、図５は、本実施形態の変形例に係るアオリの下部を示す図であって（ａ）は側面図、（ｂ）は（ａ）のＢ−Ｂ断面図、（ｃ）は（ａ）のＣ−Ｃ断面図、（ｄ）は（ｂ）の下部を拡大した図、（ｅ）は（ｃ）の拡大図である。
【００３４】
図４に示すアオリ構成材１０は、その外皮（外側プレート１１）の下部の外面が庫内側にオフセットされておらず、基準外面１０ａと面一になっている点が図２に示すものと異なるが、その他の構成は同様である。また、図４に示すエンドポスト２０は、外側の挟持板２１１の内面に凹部２１ｂが形成されている点が図２に示すものと異なるが、その他の構成は同様である。なお、図示の凹部２１ｂは、エンドポスト２０を押出成形する際に形成される溝条であり、上下方向に連続している。
【００３５】
凹部２１ｂは、アオリ構成材１０の側端部の側面とエンドポスト２０の挿入部２１との間に水抜き空間Ｍ（図５の（ｄ）参照）を確保するためのものであり、挿入部２１にアオリ構成材１０の側端部を挿入したときに水抜き孔１１ａ，１１ｂを水抜き空間Ｍに開口させることができるような寸法・形状を具備している。すなわち、凹部２１ｂは、図５の（ａ）に示すように、水抜き孔１１ａ，１１ｂの孔径よりも大きな溝幅を備えており、かつ、水抜き孔１１ａ，１１ｂと重なるような位置に形成されている。
【００３６】
図５の（ｄ）に示すように、凹部２１ｂによって形成される水抜き空間Ｍは、その下端が開口しており、かつ、ガスケット１５，１６よりも庫外側に位置している。
【００３７】
変形例に係るアオリにおいても、アオリ構成材１０の最下段の中空部Ｖ１が水抜き孔１１ａと水抜き空間Ｍとを介して外部と連通することになるので、中空部Ｖ１に浸入した水が排水されることになる。同様に、中空部Ｖ２も水抜き孔１１ｂと水抜き空間Ｍとを介して外部と連通することになるので、中空部Ｖ２に浸入した水が排水されることになる（図５の（ｃ）および（ｅ）参照）。
【００３８】
変形例に係るアオリにおいても、水抜き空間Ｍがアオリ構成材１０の開口端（図４の側端）に面していないので、アオリを開扉した際に上向きに開口した水抜き空間Ｍから雨水等が浸入しても、水抜き空間Ｍに浸入した雨水等が中空部Ｖ１，Ｖ２の内部に達する可能性が小さくなる。
【００３９】
また、アオリ構成材１０の庫外側に水抜き空間Ｍが形成されるので、中空部Ｖ１，Ｖ２に浸入した水が、ガスケット１５，１６よりも庫外側に排水されることになり、したがって、水抜き空間Ｍから排水された雨水等が庫内に浸入することを防止することが可能となる。
【００４０】
変形例に係るアオリにおいても、上下方向に延びる凹部２１ｂを利用して水抜き空間Ｍを形成しているので、中空部Ｖ１，Ｖ２から排水された水を確実にアオリの下端側へ導くことが可能となり、したがって、中空部Ｖ１，Ｖ２から排水された水がアオリ構成材１０の側面側に漏出して美観を損ねることを防止することが可能となる。
【００４１】
加えて、変形例に係るアオリにおいては、図２に示すスペーサ３０を省略しているので、部品点数が削減され、したがって、組付けに要する手間と時間とを削減することが可能となる。
【００４２】
なお、図４および図５に示した変形例では、スペーサ３０を省略し、凹部２１ｂのみを利用して水抜き空間Ｍを形成した場合を例示したが、これに限定されることはなく、図示は省略するが、凹部２１ｂとスペーサ３０とを併用して水抜き空間を形成してもよい。
【図面の簡単な説明】
【００４３】
【図１】本実施形態のアオリの使用状態を示した図であって、（ａ）はトラックの荷台後部の側面図、（ｂ）はアオリを立ち上げるときの斜視図である。
【図２】本実施形態のアオリの側端部の下部における分解斜視図である。
【図３】本実施形態のアオリの側端部の下部を示す図であって（ａ）は側面図、（ｂ）は（ａ）のＢ−Ｂ断面図、（ｃ）は（ａ）のＣ−Ｃ断面図、（ｄ）は（ｂ）の下部を拡大した図である。
【図４】本実施形態の変形例に係るアオリの側端部の下部における分解斜視図である。
【図５】本実施形態の変形例に係るアオリの側端部の下部を示す図であって（ａ）は側面図、（ｂ）は（ａ）のＢ−Ｂ断面図、（ｃ）は（ａ）のＣ−Ｃ断面図、（ｄ）は（ｂ）の下部を拡大した図、（ｅ）は（ｃ）の拡大図である。
【符号の説明】
【００４４】
Ａ      アオリ
１０    アオリ構成材
１０ｂ  側面  
１１    外側プレート（外皮）
１１ａ，１１ｂ  水抜き孔
２０    エンドポスト
２１    挿入部
２１ｂ  凹部
３０    スペーサ
３０ａ  切り込み
Ｖ１，Ｖ２  中空部
Ｍ      水抜き空間
【図１】
2008195131.tif 000003
【図２】
2008195131.tif 000004
【図３】
2008195131.tif 000005
【図４】
2008195131.tif 000006
【図５】
2008195131.tif 000007